(57)【特許請求の範囲】
【請求項１】
リモートコントロール装置により遠隔操作を行うことが可能な電子機器と、この電子機器に対しこれのメモリに初期値データなどの設定データを記憶させて初期化する電子機器用初期設定装置とを備えてなり、
前記電子機器用初期設定装置に、外部から前記設定データが入力されたときに前記メモリを書き込み可能な状態にするための命令データを生成して、この命令データと前記設定データとを一単位として連続的に出力する制御部と、前記制御部から出力された各データを前記リモートコントロール装置と同様の光信号として送信する光送信部とを具備し、
前記電子機器に、前記リモートコントロール装置および前記光送信部からそれぞれ光信号として送信されるデータを受信する光受信部と、設定データを記憶するメモリと、前記光受信部が前記リモートコントロール装置から受信した操作データに従って前記メモリに記憶の設定データを参照しながら各部を制御する機能に加えて、前記光送信部から送信された命令データおよび設定データが前記光受信部を介して入力したときに、命令データにより前記メモリを書き込み可能な状態にしたのち、入力した設定データを前記メモリに記憶させる割り込みプログラムを具有しているマイコン制御部とを具備していることを特徴とする電子機器の初期設定システム。
【請求項２】
前記電子機器用初期設定装置に、前記電子機器のメモリに記憶すべき設定データを含む初期設定情報を生成して前記電子機器の組み立て／検査ラインを集中管理する制御装置に通信ラインを通じて接続された通信部と、バッファメモリとを備えるとともに、前記電子機器用初期設定装置の前記制御部が、前記制御装置から前記通信部に初期設定情報が入力されたときに、当該初期設定情報に含まれる設定データの個数を計数して前記バッファメモリの先頭アドレスに記憶させたのち、当該先頭アドレスの次のアドレスに当該設定データを順次記憶させ、続いて、命令データを生成し、前記バッファメモリの先頭アドレスに記憶させた個数だけの設定データを読み出して前記光送信部に順次出力する処理を繰り返す制御機能を有しており、
前記電子機器が、これの組み立て／検査工程ラインに備えられたコンベア上に乗せられて順次搬送される一方、前記電子機器用初期設定装置が、前記コンベアの周辺位置において前記光送信部から送信させる光信号が前記コンベア上の前記電子機器の光受信部に受信可能な位置決め状態に配置され、前記コンベアにより順次搬送される前記各電子機器が前記光送信部の送信エリア内に入ったときに、前記電子機器の前記メモリに前記光送信部から送信される設定データを順次記憶して前記電子機器を初期化するよう構成されている請求項１に記載の電子機器の初期設定システム。
【発明の詳細な説明】
【０００１】
【発明が属する技術分野】
本発明は電子機器のメモリにロムコレデータや初期値データなどの設定データを記憶させて電子機器を初期化するための電子機器の初期設定システムに関する。
【０００２】
【従来の技術】
最近のテレビジョン受像機、エアコン、ビデオ装置等の電子機器には制御用としてマイコンが搭載されていることが多い。マイコンを動作させるためのプログラムはそのメモリに予め記憶されている。ただ、いわゆるロムコレデータや初期値データ等の設定データについては、電子機器の組立完了後にメモリに書き込むことが必要になる場合がある。電子機器が同一機種であっても、現実に使用される部品等に変更があったときには、これに応じて設定データを変更しなければ、所期の動作が得られないからである。
【０００３】
設定データを電子機器のメモリに記憶させるに当たっては、従来、図５に示すような方法が採用されていた。図中５は電子機器２’の組み立て／検査工程ラインに備えられたコンベアである。コンベア５上に複数の電子機器２’が乗せられており、電子機器２’は図示矢印方向に搬送される。図５はコンベア５を上から見た様子を示している。図中４’はコンベア５の周辺に配置されたパソコンであり、電子機器２’の初期設定情報を出力する機能を有している。
【０００４】
まず、組み立て完了後の電子機器２’とパソコン４’との間を通信ケーブル６を用いて接続する。そしてパソコン４’を動作させて、初期設定情報を電子機器１’に各々送信する。初期設定情報は電子機器２’のマイコンにバスラインを介して入力される。その結果、マイコンが強制的に動作し、メモリが書き込み可能な状態にされ、初期設定情報に含まれる設定データがメモリに記憶される。
【０００５】
なお、特開平5-56005 号公報には、ペイジャ等の携帯型通信端末機との間で光通信を行って、同端末機のメモリにプログラムやデータを記憶させる端末装置の構成が開示されている。
【０００６】
【発明が解決しようとする課題】
しかしながら、上記従来例による場合、通信ケーブル６に電磁波等のノイズが侵入し易く、電子機器１’のメモリに設定データが正確に記憶されないという問題がある。特に、パソコン４’から送信される初期設定情報が固定長又は拡張用のデータ形式であるときには、たとえメモリに記憶すべき設定データの数が少ないときであっても、常に一定のデータ量となり、送信時間が長いという点でノイズの影響を受ける確率が高くなる。
【０００７】
このようなノイズの影響により電子機器のメモリに正確な設定データが記憶されないときは、所期の動作が得られず、結局、通信ケーブル６を接続する等の作業を再度行うことが必要になり、この点で電子機器１’の低コスト化を図ることが困難になる。
【０００８】
もっとも、特開平5-56005 号公報に開示された技術を応用し、初期設定情報を光通信により電子機器に送信するようにすると、ノイズの問題は一応解消される。ところが、電子機器に受光素子等の通信用部品を新たに設けることが必要になり、大きな設計変更を伴うことから、この点で電子機器の低コスト化を図ることが困難となる。
【０００９】
本発明は上記した事情の下で創作されたものであり、その目的とするところは、電子機器に僅かな設計変更を加えるだけで、電子機器のメモリに設定データを正確に記憶させることができる電子機器の初期設定システムを提供することにある。
【００１０】
【課題を解決するための手段】
本発明の請求項１に係る電子機器の初期設定システムは、リモートコントロール装置により遠隔操作を行うことが可能な電子機器と、この電子機器に対しこれのメモリに初期値データなどの設定データを記憶させて初期化する電子機器用初期設定装置とを備えてなり、
前記電子機器用初期設定装置に、外部から前記設定データが入力されたときに前記メモリを書き込み可能な状態にするための命令データを生成して、この命令データと前記設定データとを一単位として連続的に出力する制御部と、前記制御部から出力された各データを前記リモートコントロール装置と同様の光信号として送信する光送信部とを具備し、
前記電子機器に、前記リモートコントロール装置および前記光送信部からそれぞれ光信号として送信されるデータを受信する光受信部と、設定データを記憶するメモリと、前記光受信部が前記リモートコントロール装置から受信した操作データに従って前記メモリに記憶の設定データを参照しながら各部を制御する機能に加えて、前記光送信部から送信された命令データおよび設定データが前記光受信部を介して入力したときに、命令データにより前記メモリを書き込み可能な状態にしたのち、入力した設定データを前記メモリに記憶させる割り込みプログラムを具有しているマイコン制御部とを具備していることを特徴としている。
【００１１】
このような構成による場合、電子機器のメモリに設定データを記憶させるために必要なデータが電子機器のリモートコントロール装置の場合と同様の光信号として送出されるから、従来の通信ケーブルを介して設定データを送信する場合のような電磁波などによるノイズの影響を受けることがなく、電子機器のメモリに設定データを正確に記憶することができる。一方、電子機器としては、リモートコントロール装置により遠隔操作を行うことが可能なものを対象とし、この電子機器にリモートコントロール装置からの光信号を受信するために設けられている既存の光受信部を利用して電子機器用初期設定装置の光送信部からの光信号を受信できるから、マイコン制御部の制御プログラムに簡単な割り込みプログラムを付加する修正を行うだけのソフトウェア上の簡単な設計変更を加えるだけであり、電子機器の低コスト化を図ることができる。また、電子機器用初期設定装置の制御部からは、命令データと前記設定データとを一単位として連続的に出力されるので、必要最小限のデータのみを送信して送信時間を短縮できる。
【００１２】
請求項２に係る電子機器の初期設定システムは、前記電子機器用初期設定装置に、前記電子機器のメモリに記憶すべき設定データを含む初期設定情報を生成して前記電子機器の組み立て／検査ラインを集中管理する制御装置に通信ラインを通じて接続された通信部と、バッファメモリとを備えるとともに、前記電子機器用初期設定装置の前記制御部が、前記制御装置から前記通信部に初期設定情報が入力されたときに、当該初期設定情報に含まれる設定データの個数を計数して前記バッファメモリの先頭アドレスに記憶させたのち、当該先頭アドレスの次のアドレスに当該設定データを順次記憶させ、続いて、命令データを生成し、前記バッファメモリの先頭アドレスに記憶させた個数だけの設定データを読み出して前記光送信部に順次出力する処理を繰り返す制御機能を有しており、
前記電子機器が、これの組み立て／検査工程ラインに備えられたコンベア上に乗せられて順次搬送される一方、前記電子機器用初期設定装置が、前記コンベアの周辺位置において前記光送信部から送信させる光信号が前記コンベア上の前記電子機器の光受信部に受信可能な位置決め状態に配置され、前記コンベアにより順次搬送される前記各電子機器が前記光送信部の送信エリア内に入ったときに、前記電子機器の前記メモリに前記光送信部から送信される設定データを順次記憶して前記電子機器を初期化するよう構成されていることを特徴としている。
【００１３】
このような構成による場合、制御装置から通信ラインを介して入力された初期設定情報の中で電子機器のメモリに設定データを記憶させるための必要最小限のデータのみが電子機器用初期設定装置から送出されるので、初期設定を効率的に行うことができる。また、各電子機器がコンベアにより搬送される過程でその初期設定を順次行うことができるので、従来のように通信ケーブルを接続したりする作業が不要となり、電子機器に対する初期設定を一層効果的に行うことが可能となる。
【００１４】
【発明の実施の形態】
以下、本発明の実施の形態を図面を参照して説明する。図１は電子機器用初期設定装置及び電子機器等の構成図、図２は電子機器の初期設定方法を説明するための模式図、図３は同設定装置の制御部により処理されるプログラムのフローチャート、図４は電子機器のマイコン制御部により処理される設定データ記憶用プログラムのフローチャートである。
【００１５】
図１中１は電子機器用初期設定装置、２はテレビジョン受像機、エアコン、ビデオ装置等の電子機器、３は電子機器２のリモートコントロール装置、４はパソコンである。パソコン４は電子機器２の組み立て／検査工程ラインを集中管理するために使用されており、ここでは電子機器２のメモリ２３に記憶すべき設定データを含んだ初期設定情報を生成するという機能を有している。設定データの内容は電子機器２の種類等により異なるが、具体的には、いわゆるロムコレデータや初期値データ等である。
【００１６】
まず、電子機器用初期設定装置１の構成について説明する。ここに掲げる電子機器用初期設定装置１は、リモートコントロール装置３により遠隔操作を行うことが可能な電子機器２のメモリ２３に設定データを記憶させる装置であって、メモリ２３を書き込み可能な状態にするための命令データ及び設定データを出力する制御部１１と、制御部１１から出力された各データをリモートコントロール装置３と同様に光として送信する光送信部１２と、ＲＳ２３２Ｃ用の通信ラインＬに外部接続可能な通信部１４とを備えた基本構成となっている。
【００１７】
制御部１１は、通信部１４を介して入力されたパソコン４の初期設定情報に基づいて、命令データ及び当該初期設定情報に含まれる設定データを光送信部１２に出力する構成となっている。ここではマイコンを用いており、図３に示すプログラムを処理することにより制御部１１としての機能を発揮するようになっている。なお、同プログラムが記憶されたメモリは図示省略されている。
【００１８】
メモリ１３は制御部１１としてのマイコンの周辺素子であって、ここではシリアルＩ2 Ｃ用のＥ2 ＰＲＯＭを用いている。この所定アドレスに設定データ等を記憶保持するようになっている。
【００１９】
通信部１４は制御部１１とパソコン４との間をデータの送受信を行う回路であって、ここではＲＳ２３２Ｃ用通信デバイスを用いている。
【００２０】
光送信部１２は制御部１１から出力されたデータを光として送信する回路でああって、ここでは赤外線用発光ＬＥＤ等を用いている。
【００２１】
ここで制御部１１により処理される図３のプログラムの内容について説明し、併せて電子機器用初期設定装置１の動作について説明する。
【００２２】
まず、パソコン４から送信された初期設定情報が通信部１４を介して入力されると、制御部１１は、初期設定情報に含まれる設定データ等をメモリ１３に記憶させる。より詳しくは、入力された設定データの個数を計算し、これをメモリ１３の先頭アドレスに記憶させる一方、次のアドレス以下に設定データを順次記憶させる（Ｓ１）。
【００２３】
次に、制御部１１は命令データを生成した後、メモリ２３に記憶された設定データをその個数（開始コード及び終了コードの数は含めない）だけ読み出し、これらのデータを光送信部１２に順次出力する（Ｓ２）。この処理が繰り返し行われ、その結果、命令データ及び設定データが一単位として連続的に出力され、光送信部１２により光として送信される。
【００２４】
なお、パソコン４から次の初期設定情報が送信されると、図３のプログラムが最初から再び処理される。
【００２５】
即ち、パソコン４から送信された初期設定情報のデータの全てを送信するのではなく、必要最小限のデータ、具体的には、命令データ及びメモリ１３に記録された設定データが一単位として連続して送信される。即ち、送信されるデータの量は一定ではなく、設定データの量に応じて変化する。
【００２６】
次に、電子機器２の構成について説明する。ここに掲げる電子機器２は、リモートコントロール装置３により遠隔操作を行うことが可能な機能を有した機器であって、リモートコントロール装置３から光として送信された操作データ及び電子機器用初期設定装置１から光として送信されたデータを受信する光受信部２２と、設定データを記憶するメモリ２３と、光受信部２２を介して入力された操作データに従ってメモリ２３上の設定データを参照しつつ各部を制御するマイコン制御部２１とを備えた基本構成となっている。
【００２７】
光受信部２２としては赤外線用受光ＬＥＤを用いている一方、メモリ２３としてはシリアルＩ2 Ｃ用のＥ2 ＰＲＯＭを用いている。メモリ２３の所定アドレスに設定データを記憶保持するようになっている。
【００２８】
マイコン制御部２１はメモリ（図示せず）に予め記憶されたプログラムを処理することにより、各部を制御するようになっており、同制御を行うに当たり設定データを随時参照するようになっている。このプログラムの内容は従来と同じである。ただ、図４に示すプログラムが新たに追加されている。同プログラムにより、マイコン制御部２１は、光受信部２２を介して命令データ及び設定データが入力されると、メモリ２３に当該設定データを記憶させるようになっている。
【００２９】
ここでマイコン制御部２１により処理される図４のプログラムの内容について説明する。
【００３０】
図４に示すプログラムは割り込みプログラムである。即ち、電子機器用初期設定装置１から送信された命令データ及び設定データが光受信部２２を介してマイコン制御部２１に入力されると、マイコン制御部２１は同プログラムを逐次処理するようになっている。
【００３１】
まず、光受信部２２を介して入力された命令データによりメモリ２３を書き込み可能な状態にする（Ｓ１）。そして、同様に入力された設定データの全てをメモリ２３に記録する（Ｓ２）。これで同プログラムが終了する。これで電子機器２の初期設定が完了する。
【００３２】
次に、具体的な電子機器２の初期設定方法を図２を参照して説明する。図中５は電子機器２の組み立て／検査工程ラインに備えられたコンベアである。電子機器２はコンベア５上に乗せられており、図示矢印方向に搬送される。図２はコンベア５を上から見た様子を示している。
【００３３】
コンベア５の周辺には電子機器用初期設定装置１が配置されている。電子機器用初期設定装置１の光送信部１２と、コンベア５に乗せられた電子機器２の光受信部２２とは、高さ調整がなされており、電子機器用初期設定装置１から送信された各データが電子機器２で受信可能なようになっている。
【００３４】
要するに、組み立て完了後の電子機器２がコンベア５により搬送される過程で、電子機器用初期設定装置１の送信エリア内に電子機器２が入り、このとき電子機器２のメモリ２３に設定データが記録される。複数の電子機器２がコンベア５により搬送される過程でその初期設定が次々と行われるようになっている。従来例による場合とは異なり、通信ケーブルを接続したりする作業が不要となり、電子機器２に対する初期設定を効率的に行うことが可能となる。
【００３５】
また、初期設定が完了した電子機器２はコンベア５により更に搬送され、検査工程に移されるが、従来例による場合とは異なり、電子機器２のメモリ２３に設定データが正しく記録される。
【００３６】
電子機器２のメモリ２３に設定データが正確に記録される理由は、電子機器用初期設定装置１から送信される命令データ及び設定データが光として送信され、電磁波波のノイズの影響を受け難くなるからである。また、パソコンから送信された初期設定情報の全てのデータを電子機器に送信していた従来例による場合に比べて、送信すべきデータ量が少なく、送信時間が短縮され、光ノイズの影響を受け難くなるからである。
【００３７】
よって、電子機器２の初期設定をやり直すということが無くなり、電子機器１の組み立てから検査に至るまでの一連の工程が円滑に行われる。しかも電子機器２の設計変更は僅かであり、図４に示すプログラムを追加するのみである。よって、電子機器２の低コスト化を図る上で大きな意義がある。
【００３８】
なお、本発明に係る電子機器用初期設定装置は上記実施形態に限定されず、例えば、制御部については、電子機器のメモリを書き込み可能な状態にするための命令データ及び設定データを出力する機能を有する限り、どのような構成のものを用いても良い。また、光送信部については、電子機器のリモートコントロール装置の光送信部の種類に合った構成のものを用いると良い。本発明に係る電子機器についても同様であって、メモリの種類も問われない。
【００３９】
【発明の効果】
以上、本発明の請求項１に係る電子機器の初期設定システムによれば、電子機器のメモリに設定データを記憶させるために必要なデータが電子機器のリモートコントロール装置の場合と同様の光信号として送出されるから、従来の通信ケーブルを介して設定データを送信する場合のような電磁波などのノイズによる影響を受けることがなく、電子機器のメモリに設定データを正確に記憶させることができる。一方、電子機器としては、リモートコントロル装置により遠隔操作を行うことが可能なものを対象とし、この電子機器にリモートコントロール装置からの光信号を受信するために設けられている既存の光受信部を利用して電子機器用初期設定装置の光送信部からの光信号を受信できるから、マイコン制御部の制御プログラムに簡単な割り込みプログラムを付加する修正を行うだけのソフトウェア上の簡単な設計変更を加えるだけであり、電子機器の低コスト化を図ることができる。また、電子機器用初期設定装置の制御部からは、命令データと前記設定データとを一単位として連続的に出力されるので、必要最小限のデータのみを送信して送信時間を短縮できる。
【００４０】
また、請求項２に係る電子機器の初期設定システムによれば、制御装置から通信ラインを介して入力された初期設定情報の中で電子機器のメモリに設定データを記憶させるための必要最小限のデータのみが電子機器用初期設定装置から送出されるので、初期設定を効率的に行うことができる。また、各電子機器がコンベアにより搬送さる過程でその初期設定を順次行うことができるので、従来のように通信ケーブルを接続したりする作業不要となり、電子機器に対する初期設定を一層効率的に行うことが可能となる。
【図面の簡単な説明】
【図１】本発明の実施形態を説明するための図であって、電子機器用初期設定装置及び電子機器等の構成図である。
【図２】同電子機器の初期設定システムを説明するための模式図である。
【図３】同設定装置の制御部により処理されるプログラムのフローチャートである。
【図４】同電子機器のマイコン制御部により処理される設定データ記憶用プログラムのフローチャートである。
【図５】従来の電子機器の初期設定方法を説明するための模式図である。
【符号の説明】
１ 電子機器用初期設定装置
１１ 制御部
１２ 光送信部
１３ メモリ
１４ 通信部
２ 電子機器
２１ マイコン制御部
２２ 光受光部
２３ メモリ
３ リモートコントロール装置
【図１】
0003709776.tif 000002
【図２】
0003709776.tif 000003
【図３】
0003709776.tif 000004
【図４】
0003709776.tif 000005
【図５】
0003709776.tif 000006